(57)【特許請求の範囲】
【請求項１】
環境状態を報知する報知装置であって、
上記報知装置は、環境状態取得部と、報知部とを備え、
上記環境状態取得部は、上記環境状態を調整する環境状態調整装置の目標設定値として温度または温度を示す情報、および現在の環境状態を示す環境値として温度を取得し、
上記報知部は、上記目標設定値が設定されたときから該目標設定値に至るまで、上記環境値が示す環境状態にある、場所または時期を報知する。
【請求項２】
請求項１に記載の報知装置では、上記目標設定値を受け付ける設定値受付部をさらに備え、
上記設定値受付部は、上記目標設定値が示す環境状態にある場所または時期あるいは場所と時期の組み合わせを、上記目標設定値の入力として受け付ける。
【請求項３】
請求項２に記載の報知装置では、
上記設定値受付部は、表示された地図上における位置を指定されることによって、上記場所の入力を受け付ける。
【請求項４】
請求項２または３に記載の報知装置では、
上記報知部は、上記設定値受付部が上記目標設定値の入力として場所の入力を受け付けた場合、受け付けたときの環境状態にある場所と、受け付けた場所とを結ぶ線上にある地名のうち、現在の上記環境値が示す環境状態にある地名を報知する。
【請求項５】
環境状態を報知する報知装置の制御方法であって、
上記報知装置の制御方法は、目標設定値取得ステップと、環境状態取得ステップと、報知ステップとを含み、
上記目標設定値取得ステップでは、上記環境状態を調整する環境状態調整装置の目標設定値として温度または温度を示す情報を取得し、
上記環境状態取得ステップでは、現在の環境状態を示す環境値として温度を取得し、
上記報知ステップでは、上記目標設定値が設定されたときから該目標設定値に至るまで、上記環境値が示す環境状態にある、場所または時期を報知する。
【請求項６】
請求項１に記載の報知装置としてコンピュータを機能させるための制御プログラムであって、上記環境状態取得部、および上記報知部としてコンピュータを機能させるための制御プログラム。
【請求項７】
請求項６に記載の制御プログラムを記録したコンピュータ読み取り可能な記録媒体。
【発明の詳細な説明】
【技術分野】
【０００１】
本発明は、環境状態を報知する報知装置等に関する。
【背景技術】
【０００２】
従来の空調機は、環境状態（例えば、温度や湿度）を数値（例えば、温度：２５℃や湿度：８０％など）で提示している。また、近年では、発話機能を備えた空調機等の家電が開発されている。例えば、特許文献１には、音声データを追加、変更が可能な家電機器が記載されている。また、特許文献２には、発話に関する特性情報を自動的に設定して発話を実行する音声サーバが記載されている。
【先行技術文献】
【特許文献】
【０００３】
【特許文献１】特開２００８−０４６４２４号公報（２００８年２月２８日公開）
【特許文献２】特開２０１５−１６４２５１号公報（２０１５年９月１０日公開）
【発明の概要】
【発明が解決しようとする課題】
【０００４】
しかしながら、ユーザにとって、環境状態を数値で提示されてもイメージがわきにくく、何の面白味もない。また、上記特許文献１、２に記載された技術は、環境状態のイメージを適切に報知するものではない。特定された環境状態を直感的に理解することは難しい。また、従来の空調機が発話する内容は、ユーザが楽しさや親しみを感じやすいものではない。
【０００５】
本発明は、前記の問題点に鑑みてなされたものであり、その目的は、ユーザに対し、環境状態を直感的に理解させることができる報知装置等を実現することにある。
【課題を解決するための手段】
【０００６】
上記の課題を解決するために、本発明の一態様に係る報知装置は、環境状態を報知する報知装置であって、上記報知装置は、環境状態取得部と、報知情報取得部と、報知部とを備え、上記環境状態取得部は、上記環境状態を調整する環境状態調整装置の目標設定値、または現在の環境状態を示す環境値を取得し、上記報知情報取得部は、上記目標設定値または上記環境値が示す環境状態にある、場所または時期あるいは場所と時期の組み合わせを、報知情報として取得し、上記報知部は、上記報知情報を報知する。
【発明の効果】
【０００７】
本発明の一態様によれば、現在の環境値、または目標設定値を、そのままではなく、当該環境値または目標設定値にある場所、時期、または場所と時期の組み合わせにより報知することができる。これにより、ユーザに対し、現在の環境値または目標設定値を、イメージさせやすくすることができるという効果を奏する。
【図面の簡単な説明】
【０００８】
【図１】実施形態１に係る情報処理装置の要部構成を示すブロック図である。
【図２】実施形態１に係る環境情報報知処理の流れを示すフローチャートである。
【図３】実施形態１に係る情報処理装置が備えた報知用データ生成部が生成する報知用データの一例を示す図である。
【図４】実施形態１に係る環境情報報知処理において、環境温度の目標地点が決定される流れを示す図である。
【図５】目標地点に到着するまでの環境状態の変化を示すグラフである。
【図６】実施形態２に係る環境情報報知処理の流れを示すフローチャートである。
【図７】実施形態２に係る報知用データ生成部が生成する報知用データの一例を示す図である。
【図８】実施形態２に係る環境情報報知処理において、環境温度の目標時期が決定される流れを示す図である。
【図９】目標時期に到達するまでの環境状態の変化を示すグラフである。
【図１０】実施形態３に係る情報処理装置および報知サーバの要部構成を示す図である。
【図１１】実施形態４に係る情報処理装置および報知サーバの要部構成を示す図である。
【図１２】情報処理装置として利用可能なコンピュータの構成を例示したブロック図である。
【発明を実施するための形態】
【０００９】
〔実施形態１〕
以下、本発明の実施の形態について、図１〜図５を用いて詳細に説明する。本実施形態に係る情報処理装置（報知装置）１は、空調機（環境状態調整装置）を調整できるものであり、空調機から取得した現在の温度（環境値）、湿度（環境値）、および空調機に設定した温度、湿度（目標設定値）を、値そのものではなく、当該温度、湿度にある地名で報知するものである。これにより、ユーザは、温度、湿度そのものではなく、地名により温度、湿度を認識できるので、楽しさ、味わい深さを感じることができる。
【００１０】
なお、本実施形態では、情報処理装置１が報知する構成を記載しているが、報知する装置はこれに限られず、空調機が報知を行ってもよいし、情報処理装置１とは異なる、ユーザ近傍にある装置が、空調機から温度、湿度を取得し、報知を行ってもよい。
【００１１】
（情報処理装置１）
図１を用いて、本実施形態に係る情報処理装置１の構成を説明する。図１は、情報処理装置１の構成を示すブロック図である。図１に示すように、情報処理装置１は、入力部１０、出力部２０、制御部３０、および記憶部４０を備えている。情報処理装置１は、例えば、スマートホン、タブレット端末、または、空調機のリモートコントローラであってよい。
【００１２】
入力部１０は、情報処理装置１に対するユーザ操作を受け付ける。入力部１０は、例えば、タッチパネルおよび物理ボタンを含んでいてよい。出力部２０は、ユーザに報知するための各種情報を出力する。図１に示すように、出力部２０は、スピーカ２１およびディスプレイ２２を含む。出力部２０は、ＬＥＤで構成された発光部（図示せず）をさらに含んでいてもよい。なお、入力部１０のタッチパネルは、出力部２０のディスプレイ２２と一体となっていてよい。
【００１３】
制御部３０は、環境状態を調整する空調機（例えば、暖冷房機器）を制御する。本実施形態では、空調機は、少なくとも環境温度を調整する機能を有していれば、どのような種類の機器であってもよい。制御部３０は、空調機と通信して、データを送受信することが可能であるように構成されている。制御部３０は、例えば、無線通信によって、または、ＬＡＮ（Local Area Network）を介して、空調機と通信することが可能であってよい。
【００１４】
また、制御部３０は、環境状態を示す数値を、数値以外の表現に言い換えて報知する環境情報報知処理を実行する。本実施形態では、制御部３０は、環境状態を示す数値を、その数値に関連する地点（場所）の名称に言い換えて報知する。また、制御部３０は、環境状態を報知する際に参照するための報知用データ（対応付けデータ）を生成する。
【００１５】
図１に示すように、制御部３０は、報知用データ生成部３１、目標決定部３２、表現変換部（環境状態取得部、報知情報取得部、設定値受付部）３３、および報知部３４を含む。なお、報知用データ生成部３１、目標決定部３２、表現変換部３３、および報知部３４がそれぞれ実行する処理については、後の環境情報報知処理の説明中で説明する。
【００１６】
記憶部４０は、制御部３０が生成した報知用データ（報知情報）を記憶している。なお、報知用データのデータ構造の一例を後で説明する。
【００１７】
（第１の環境情報報知処理）
図２を用いて、制御部３０が実行する環境情報報知処理の流れを説明する。図２は、本実施形態に係る環境情報報知処理の流れを示すフローチャートである。
【００１８】
図２に示すように、環境情報報知処理では、まず、報知用データ生成部３１が報知用データを生成する（Ｓ１）。そのために、報知用データ生成部３１は、気象情報提供サーバから、全国各地の気象情報（環境状態の指標（温度や湿度など）の観測データ、または予報値）の提供を受ける。そして、報知用データ生成部３１は、気象情報を、その気象情報が観測された（または、予報された）地点の情報（例えば、都道府県や市区町村の名称の情報）と対応付けて、報知用データとして、記憶部４０に記憶させる。なお、一変形例では、記憶部４０は、過去の気象情報から生成された報知用データを予め記憶していてもよい。この構成では、報知用データ生成部３１は、環境情報報知処理ごとに、報知用データを生成する必要がない。
【００１９】
図３は、報知用データ生成部３１が生成する報知用データのデータ構造の一例を示す図である。図３に示す報知用データでは、各組の温度および湿度に対し、それぞれ、地点（の名称）が対応付けられている。ここで、地点は、どのような表現で特定されてもよい。例えば、図３では、地点は市で特定されている。しかしながら、地点は都道府県で特定されていてもよいし、世界各国の都市で特定されていてもよい。なお、報知用データに含まれる地点は、有名であることが望ましい。また、報知用データに含まれる地点は、ユーザの興味に応じて決定されることが望ましい。情報処理装置１は、過去のユーザの入力に基づいて、ユーザの興味を判断してもよいし、ユーザがどのような興味を持っているのかをユーザ自身に入力させてもよい。例えば、ユーザが鉄道に興味を持っている場合、地点は鉄道の駅の名称によって特定されていることが望ましい。また、ユーザが山や温泉地に興味を持っている場合、地点は山や温泉地の名称で特定されていることが望ましい。さらに、地点を特定する鉄道の駅は、全て同一の路線の駅であることが望ましい。また、高い温度ほど南にある駅（あるいは、山、温泉地）の名称と対応付けられており、低い温度ほど北にある駅（あるいは、山、温泉地）の名称と対応付けられていてよい。
【００２０】
図２において、Ｓ１の後、表現変換部３３は、空調機から、現在の環境状態に関する情報を取得する。表現変換部３３は、記憶部４０の報知用データを参照して、現在の環境状態を示す数値を、その数値に最も近い数値と対応付けられている地点に変換する。
【００２１】
目標決定部３２は、表現変換部３３が変換した地点の情報を、出力部２０のディスプレイ２２に表示する（Ｓ２）。その後、目標決定部３２は、ユーザに対し、（ディスプレイ２２などに）地図を提示して、地図上で目標地点を指定することを要求する。地図上の各地点は、それぞれ、環境状態を示す数値に対応している。
【００２２】
図４を参照しつつ、環境情報報知処理の続く流れを説明する。図４は、本実施形態に係る環境情報報知処理において、目標地点の決定方法の流れを示す図である。図４では、地図が表示されるディスプレイ２２と入力部１０のタッチパネルとが一体となっている。ユーザは、入力部１０のタッチパネルに対するタッチ操作によって、地図上の地点を指定する（Ｓ３）。目標決定部３２は、記憶部４０の報知用データに含まれる地点（地名）のうち、ユーザが地図上で指定した地点に最も近い地点が、目標地点として指定されたと判定する。一変形例では、目標決定部３２は、報知用データに含まれる地点（地名）を地図上に表示して、ユーザに対し、表示された地点のいずれかを指定することを要求してもよい。
【００２３】
ユーザが目標地点を指定した後、目標決定部３２は、ユーザに対し、指定した目標地点の確認を要求する（Ｓ４）。次に、ユーザが、指定した目標地点を取り消すユーザ操作（図４で「いいえ」を選択）を行った場合（Ｓ５でＮｏ）、環境情報報知処理はＳ３に戻る。一方、ユーザが目標地点を決定するユーザ操作（図４で「はい」を選択）を行った場合（Ｓ５でＹｅｓ）、目標決定部３２は、目標地点に対応する環境状態の情報を、環境状態の目標値の情報として、空調機に送信する（Ｓ６）。また、図４に示すように、目標決定部３２は、目標地点が決定されたという情報をディスプレイ２２に表示する。ここで、空調機に送信される目標値の情報は、温度の目標値の情報のみであってもよい。また、空調機が除湿モードである場合、空調機に送信される目標値の情報は、湿度の目標値の情報を含んでいてもよい。
【００２４】
図５を参照しつつ、環境情報報知処理の続く流れを説明する。図５は、目標地点に到着するまでの環境状態の変化を示すグラフである。図５では、地図上の出発地点、すなわち、最初の環境状態は、奈良に対応している。
【００２５】
図２に示すように、空調機が運転を開始してから一定時間が経過した後（Ｓ７）、表現変換部３３は、空調機から、現在の環境状態を示す数値の情報を取得する（Ｓ８、環境状態取得ステップ）。そして、表現変換部３３は、現在の環境状態を示す数値は、目標値と一致するか否かを判定する（Ｓ９）。
【００２６】
現在の環境状態を示す数値が目標値と一致しない場合（Ｓ９でＮｏ）、表現変換部３３は、記憶部４０の報知用データを参照して、現在の環境状態を示す数値を、その数値に対応する地点に変換する。報知部３４は、現在の環境状態を示す数値から変換された地点の情報を、現在の地点の情報として報知する（Ｓ１０、報知情報取得ステップ、報知ステップ）。図５では、環境状態が、出発地点（奈良）から目標地点（札幌）に向かう間に、報知部３４は、２か所の地点（富山および仙台）において、その地点の情報を報知する。これにより、ユーザは、環境状態の変化を、仮想的な地点の移動として、楽しみながら知ることができる。なお、情報処理装置１の報知部３４の代わりに、空調機が、環境状態に対応する地点の情報を報知してもよい。
【００２７】
以上のように、本実施形態では、出発地点（奈良）と目標地点（札幌）とを結ぶ線上にある地名を報知することにより、よりユーザを楽しませることができる。
【００２８】
一方、表現変換部３３が、現在の環境状態を示す数値は目標値と一致すると判定した場合（Ｓ９でＹｅｓ）、報知部３４は、目標地点（図５では札幌）に到着したことを報知する（Ｓ１１）。以上で、環境情報報知処理は終了する。
【００２９】
なお、本実施形態では、環境値（温度、湿度）に代えて地名を報知する構成としたが、これに限られず、環境値と地名との両方を報知する構成であってもよい。
【００３０】
〔実施形態２〕
本発明の他の実施形態について、図６〜図９に基づいて説明すれば、以下のとおりである。なお、説明の便宜上、前記実施形態にて説明した部材と同じ機能を有する部材については、同じ符号を付記し、その説明を省略する。
【００３１】
前記実施形態１の環境情報報知処理では、制御部３０は、空調機から取得した環境状態（温度および湿度）の指標となる数値を、地点（地名）に言い換えて報知した。しかしながら、本発明において、制御部３０は、環境状態を示す数値を、数値以外で、当該数値をユーザがイメージできるような別の表現に言い換えてもよい。本実施形態の環境情報報知処理では、制御部３０は、環境状態の指標となる数値を、時期に言い換えて報知する。
【００３２】
（第２の環境情報報知処理）
図６は、本実施形態に係る環境情報報知処理の流れを示すフローチャートである。図６に示すように、本実施形態に係る環境情報報知処理でも、まず、報知用データ生成部３１が報知用データを生成する（Ｓ２０１）。本実施形態では、報知用データ生成部３１は、温度および日時と、その日時が含まれる時期とを対応付けた報知用データを生成する。
【００３３】
図７は、本実施形態に係る報知用データ生成部３１が生成する報知用データのデータ構造の一例を示す図である。図７に示す報知用データでは、各組の温度および日付の情報に対し、それぞれ、時期の情報が対応付けられている。ここで、報知用データの温度は、空調機の温度センサが検知した温度（数値）であり、報知用データの日付は、空調機の温度センサがその温度を検知した日付である。また、報知用データの時期は、空調機の温度センサが温度を検知した日を含む時期である。図７では、時期は各月の上旬・中旬・下旬で特定されている。しかし、時期は、これとは異なる表現で特定されていてもよい。例えば、時期は二十四節気で特定されていてもよいし、春・夏・秋・冬で特定されていてもよい。
【００３４】
次に、表現変換部３３は、空調機から、現在の環境状態に関する情報を取得する。表現変換部３３は、記憶部４０の報知用データを参照して、現在の環境状態を示す数値を、その数値と対応する時期に変換する。ここで、報知用データにおいて、現在の環境温度に最も近い温度が複数存在する場合、表現変換部３３は、報知用データにおいて、現在の日付により近い日付と組になっている温度と対応付けられた時期を選択することが望ましい。報知部３４は、表現変換部３３が現在の環境状態を示す数値から変換した現在の時期の情報を、出力部２０のディスプレイ２２に表示する（Ｓ２０２）。
【００３５】
図８を参照しつつ、環境情報報知処理の続く流れを説明する。図８は、環境情報報知処理において、目標時期の決定方法の流れを説明する図である。
【００３６】
目標決定部３２は、一年の流れに対応するダイヤグラムを提示する。また、ダイヤグラム上に、現在の環境状態を示す数値（図８では、９度）に対応する時期（図８では、１月中旬）を提示する。ユーザは、入力部１０のタッチパネルに対するタッチ操作を行い、ダイヤグラム上で、目標時期（図８では、４月下旬）を指定する（Ｓ２０３）。目標決定部３２は、報知用データに含まれる時期のうち、ユーザがダイヤグラム上で指定した時期に最も近い時期が、目標時期として指定されたと判定する。なお、一変形例では、目標決定部３２は、報知用データに含まれる時期に対応する位置をダイヤグラム上に表示して、ダイヤグラム上でいずれかの位置を選択することによって目標時期を指定することをユーザに要求してもよい。
【００３７】
その後、目標決定部３２は、指定した目標時期の決定をユーザに要求する（Ｓ２０４）。ユーザが、指定した目標時期を取り消す操作（図８で「いいえ」を選択）を行った場合（Ｓ２０５でＮｏ）、環境情報報知処理はＳ３に戻る。一方、ユーザが目標時期を決定（図８で「はい」を選択）した場合（Ｓ２０５でＹｅｓ）、目標決定部３２は、ユーザが決定した目標時期に対応付けられた環境状態を示す数値の情報を、目標値の情報として、空調機に送信する（Ｓ２０６）。また、図８に示すように、目標決定部３２は、目標時期が決定されたという情報をスピーカ２１およびディスプレイ２２を用いて報知する。目標値の情報を受信した空調機は運転を開始する。
【００３８】
図９を参照しつつ、環境情報報知処理の続く流れを説明する。図９は、目標時期に到達するまでの環境状態の変化を示すグラフである。
【００３９】
空調機が運転を開始してから、一定時間が経過するごとに（Ｓ２０７）（図９において破線で示すタイミング）、表現変換部３３は、空調機から、現在の環境状態の情報を取得する（Ｓ２０８）。そして、表現変換部３３は、現在の環境状態を示す数値は、目標値と一致するか否かを判定する（Ｓ２０９）。
【００４０】
現在の環境状態が目標値と一致しない場合（Ｓ２０９でＮｏ）、表現変換部３３は、記憶部４０の報知用データを参照して、現在の環境状態を示す数値を、その数値に対応する時期に変換する。報知部３４は、表現変換部３３が変換した時期（図９では、２月下旬および３月中旬）を、現在の時期として報知する（Ｓ２１０）。
【００４１】
一方、表現変換部３３が、現在の環境状態を示す数値は目標値と一致すると判定した場合（Ｓ２０９でＹｅｓ）、報知部３４は、目標時期（図９では、４月下旬）に到達したことを報知する（Ｓ２１１）。以上で、環境情報報知処理は終了する。
【００４２】
〔実施形態３〕
本発明の他の実施形態について、図１０に基づいて説明すれば、以下のとおりである。なお、説明の便宜上、前記実施形態にて説明した部材と同じ機能を有する部材については、同じ符号を付記し、その説明を省略する。図１０は、本実施形態に係る情報処理装置１ａ、および報知サーバ２ｓの要部構成を示すブロック図である。
【００４３】
本実施形態では、報知サーバ（報知装置）２ｓが、空調機から現在の環境状態に関する情報（温度、湿度情報等）を取得し、当該環境状態にある地点（地名）または時期に変換し、音声データとして空調機等に送信する。これにより、実施形態１、２では、情報処理装置で実行していた変換の処理を報知サーバ２ｓで実現することができる。
【００４４】
また、本実施形態では、情報処理装置１ａは、上述した実施形態１、２で実行していた機能のうち、目標値を設定する機能のみ実行する。したがって、図１０に示すように、本実施形態では、情報処理装置１ａは、入力部１０、出力部２０、制御部３０ａ、および記憶部４０を備え、制御部３０ａには、目標決定部３２、表現変換部３３、および報知部３４を含む。
【００４５】
また、図１０に示すように、報知サーバ２ｓは、制御部３０ｓおよび記憶部４０ｓを備え、制御部３０ｓには、報知用データ生成部３１ｓ、表現変換部３３ｓ、および報知部３４ｓを含む。
【００４６】
報知用データ生成部３１ｓは、上述した報知用データ生成部３１と同様に、気象情報提供サーバから取得した気象情報を用いて、報知用データを生成し、記憶部４０ｓに記憶させる。
【００４７】
表現変換部３３ｓは、上述した表現変換部３３と同様に、報知用データを参照して、空調機か取得した現在の環境状態に関する情報を、現在の環境状態を示す数値を、その数値に最も近い数値と対応付けられている地点（地名）に変換し、報知部３４ｓに通知する。
【００４８】
報知部３４ｓは、表現変換部３３ｓによって変換された地点（地名）を現在の環境状態を示すデータ（例えば、音声データ）として生成し、空調機等に送信する。
【００４９】
〔実施形態４〕
本発明のさらに他の実施形態について、図１１に基づいて説明すれば、以下のとおりである。なお、説明の便宜上、前記実施形態にて説明した部材と同じ機能を有する部材については、同じ符号を付記し、その説明を省略する。図１１は、本実施形態に係る情報処理装置１ｂ、および報知サーバ２ｓ’の要部構成を示すブロック図である。
【００５０】
本実施形態では、報知サーバ２ｓ’が、空調機から現在の環境状態に関する情報（温度、湿度情報等）を取得し、当該環境状態にある地点（地名）または時期に変換し、音声データとして空調機等に送信する。これにより、実施形態１、２では、情報処理装置で実行していた変換の処理を報知サーバ２ｓ’で実現することができる。
【００５１】
また、報知サーバ２ｓ’では、情報処理装置１ｂで受け付けた目標値を示す情報（例えば地名）を取得し、この情報から目標値を決定して、空調機に送信する。
【００５２】
また、本実施形態では、情報処理装置１ｂは、目標値に入力を受け付ける機能のみ実行する。したがって、図１１に示すように、本実施形態では、情報処理装置１ｂは、入力部１０、出力部２０、および報知部３４を含む。
【００５３】
また、図１１に示すように、報知サーバ２ｓ’は、制御部３０ｓ’および記憶部４０ｓ’を備え、制御部３０ｓ’には、報知用データ生成部３１ｓ、目標決定部３２ｓ、表現変換部３３ｓ、および報知部３４ｓを含む。
【００５４】
表現変換部３３ｓは、情報処理装置１ｂで受け付けた目標となる地点（例えば、「札幌」）を、対応する環境情報（例えば、札幌の温度）に変換し、目標決定部３２ｓに通知する。
【００５５】
目標決定部３２ｓは、表現変換部３３ｓが変換した、地名に対応する環境状態を目標値として決定し、空調機に送信する。また、決定した目標値を出力部にも送信する。
【００５６】
なお、報知サーバ２’が空調機に内蔵されている構成であってもよい。
【００５７】
〔実施形態５〕
前記実施形態１および２では、環境状態が環境温度および環境湿度である場合を説明した。しかしながら、本発明において、環境状態は、空間の何らかの属性についての状態であれば、特に限定されない。
【００５８】
実施形態３では、環境状態は、空調機の風量や空気の汚染度などであってよい。本実施形態では、制御部３０は、空気の汚染度と地点または時期とを対応付けた報知用データを生成して、記憶部４０に格納する。そして、制御部３０は、空調機のセンサが取得した空気の汚染度を、地点または時期に言い換えて報知する。
【００５９】
〔実施形態６〕
上記実施形態３、４では、１台の報知サーバ２ｓ（２ｓ’）を用いて、報知サーバ２ｓ（２ｓ’）が空調機から温度、湿度を取得する構成を説明した。これに限られず、報知サーバ２ｓ（２ｓ’）の有する各機能が、個別のサーバにて実現されていてもよい。そして、複数のサーバを適用する場合においては、各サーバは、同じ事業者によって管理されていてもよいし、異なる事業者によって管理されていてもよい。
【００６０】
〔実施形態７〕
情報処理装置１の各制御ブロック（特に、制御部３０（報知用データ生成部３１、目標決定部３２、表現変換部３３、報知部３４））は、集積回路（ＩＣチップ）等に形成された論理回路（ハードウェア）によって実現してもよいし、ＣＰＵ（Central Processing Unit）を用いてソフトウェアによって実現してもよい。後者の場合、情報処理装置１のそれぞれを、図１２に示すようなコンピュータ（電子計算機）を用いて構成することができる。
【００６１】
図１２は、情報処理装置１として利用可能なコンピュータ９１０の構成を例示したブロック図である。コンピュータ９１０は、バス９１１を介して互いに接続された演算装置９１２と、主記憶装置９１３と、補助記憶装置９１４と、入出力インターフェース９１５と、通信インターフェース９１６とを備えている。演算装置９１２、主記憶装置９１３、および補助記憶装置９１４は、それぞれ、例えばＣＰＵ、ＲＡＭ（random access memory）、ハードディスクドライブであってもよい。入出力インターフェース９１５には、ユーザがコンピュータ９１０に各種情報を入力するための入力装置９２０、および、コンピュータ９１０がユーザに各種情報を出力するための出力装置９３０が接続される。入力装置９２０および出力装置９３０は、コンピュータ９１０に内蔵されたものであってもよいし、コンピュータ９１０に接続された（外付けされた）ものであってもよい。例えば、入力装置９２０は、キーボード、マウス、タッチセンサなどであってもよく、出力装置９３０は、ディスプレイ、プリンタ、スピーカなどであってもよい。また、タッチセンサとディスプレイとが一体化されたタッチパネルのような、入力装置９２０および出力装置９３０の双方の機能を有する装置を適用してもよい。そして、通信インターフェース９１６は、コンピュータ９１０が外部の装置と通信するためのインターフェースである。
【００６２】
補助記憶装置９１４には、コンピュータ９１０を情報処理装置１として動作させるための各種のプログラムが格納されている。そして、演算装置９１２は、補助記憶装置９１４に格納された上記プログラムを主記憶装置９１３上に展開して該プログラムに含まれる命令を実行することによって、コンピュータ９１０を、情報処理装置１が備える各部として機能させる。なお、補助記憶装置９１４が備える、プログラム等の情報を記録する記録媒体は、コンピュータ読み取り可能な「一時的でない有形の媒体」であればよく、例えば、テープ、ディスク、カード、半導体メモリ、プログラマブル論理回路などであってもよい。
【００６３】
また、上記プログラムは、コンピュータ９１０の外部から取得してもよく、この場合、任意の伝送媒体（通信ネットワークや放送波等）を介して取得してもよい。そして、本発明は、上記プログラムが電子的な伝送によって具現化された、搬送波に埋め込まれたデータ信号の形態でも実現され得る。
【００６４】
〔まとめ〕
本発明の態様１に係る報知装置（情報処理装置１）は、環境状態を報知する報知装置であって、上記報知装置は、環境状態取得部（表現変換部３３）と、報知情報取得部（表現変換部３３）と、報知部（３４）とを備え、上記環境状態取得部は、上記環境状態を調整する環境状態調整装置の目標設定値、または現在の環境状態を示す環境値を取得し、上記報知情報取得部は、上記目標設定値または上記環境値が示す環境状態にある、場所または時期あるいは場所と時期の組み合わせを、報知情報として取得し、上記報知部は、上記報知情報を報知する。
【００６５】
上記の構成によれば、現在の環境値、または目標設定値を、そのままではなく、当該環境値または目標設定値にある場所、時期、または場所と時期の組み合わせにより報知することができる。これにより、ユーザに対し、現在の環境値または目標設定値を、イメージさせやすくすることができる。
【００６６】
本発明の態様２に係る報知装置は、上記態様１において、上記目標設定値を受け付ける設定値受付部（表現変換部３３）をさらに備え、上記設定値受付部は、上記目標設定値が示す環境状態にある場所または時期あるいは場所と時期の組み合わせを、上記目標設定値の入力として受け付ける。
【００６７】
上記の構成によれば、目標設定値を、数値そのものではなく、目標設定値にある場所、時期、または場所と時期との組み合わせにより設定することができる。これにより、ユーザに対し、場所、時期、または場所と時期のとの組み合わせをイメージさせて、目標設定値を設定させることができる。
【００６８】
本発明の態様３に係る報知装置は、上記態様２において、上記設定値受付部は、表示された地図上における位置を指定されることによって、上記場所の入力を受け付ける。
【００６９】
上記の構成によれば、ユーザに対し、地図上における各地の環境値をイメージしながら目標設定値を設定させることができる。
【００７０】
本発明の態様４に係る報知装置は、上記態様２または３において、上記報知部は、上記設定値受付部が、上記目標設定値の入力として場所の入力を受け付けた場合、自装置の現在の場所と、受け付けた場所とを結ぶ線上にある地名のうち、現在の上記環境値が示す環境状態にある地名を報知する。
【００７１】
上記の構成によれば、目標設定値に到達するまでの過程を、それぞれの環境値にある地名で報知するので、ユーザに対し、目標設定値までの過程を、より楽しく、より味わい深く感じさせることができる。
【００７２】
本発明の態様５に係る報知装置の制御方法は、環境状態を報知する報知装置の制御方法であって、上記報知装置の制御方法は、環境状態取得ステップと、報知情報取得ステップと、報知ステップとを含み、上記環境状態取得ステップでは、上記環境状態を調整する環境状態調整装置の目標設定値、または現在の環境状態を示す環境値を取得し、上記報知情報取得ステップでは、上記目標設定値または上記環境値が示す環境状態にある、場所または時期あるいは場所と時期の組み合わせを、報知情報として取得し、上記報知ステップでは、上記報知情報を報知する。
【００７３】
これにより、上述した態様１と同様の効果を奏する。
【００７４】
本発明の各態様に係る報知装置は、コンピュータによって実現してもよく、この場合には、コンピュータを上記報知装置が備える各部（ソフトウェア要素）として動作させることにより上記報知装置をコンピュータにて実現させる制御プログラム、およびそれを記録したコンピュータ読み取り可能な記録媒体も、本発明の範疇に入る。
【００７５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７６】
１  情報処理装置（報知装置）
２ｓ、２ｓ’  報知サーバ（報知装置）
３１、３１ｓ  報知用データ生成部
３２、３２ｓ  目標決定部
３３、３３ｓ  表現変換部（環境状態取得部、報知情報取得部、設定値受付部）
３４、３４ｓ  報知部
４０  記憶部
【図１】
0006602693.tif 000002
【図２】
0006602693.tif 000003
【図３】
0006602693.tif 000004
【図４】
0006602693.tif 000005
【図５】
0006602693.tif 000006
【図６】
0006602693.tif 000007
【図７】
0006602693.tif 000008
【図８】
0006602693.tif 000009
【図９】
0006602693.tif 000010
【図１０】
0006602693.tif 000011
【図１１】
0006602693.tif 000012
【図１２】
0006602693.tif 000013